(57)【要約】【課題】  被介護者救援システムの通信端末が、管理される被介護者の移動時に、被介護者と共に移動する可能性を高くする。【解決手段】  本発明の被介護者使用物品は、介護施設で被介護者が移動時に使用する、通信機能以外の主たる機能が定まっているものであり、この物品に、移動体通信網の端末機能を担う通信装置部を持たせた。このような物品は、名札、車椅子、まつば杖、点滴キャリアなどである。本発明の被介護者救援システムは、上述した通信端末機能を有する被介護者使用物品が移動体通信端末として含まれる。【選択図】      図１
2007048075.tif 000002
【特許請求の範囲】
【請求項１】
介護施設で被介護者が移動時に使用する、通信機能以外の主たる機能が定まっている被介護者使用物品において、移動体通信網の端末機能を担う通信装置部を有することを特徴とする被介護者使用物品。
【請求項２】
上記通信装置部は、ワンタッチ呼出ボタンと呼出先情報を記憶している呼出先記憶手段とを備え、上記ワンタッチ呼出ボタンの押下時に記憶されている上記呼出先情報に係る呼出先相手端末に発呼することを特徴とする請求項１に記載の被介護者使用物品。
【請求項３】
上記通信装置部は、自己への発呼に対する自動着信機能を有することを特徴とする請求項１又は２に記載の被介護者使用物品。
【請求項４】
請求項１〜３のいずれかに記載の被介護者使用物品を、移動体通信端末として含むことを特徴とする被介護者救援システム。
【請求項５】
上記移動体通信端末の識別情報と、その移動体通信端末を収容しているアクセスポイント装置の識別情報又は位置情報とを対応付けて管理している位置情報管理手段と、
上記移動体通信端末の識別情報を入力し、上記位置情報管理手段から、入力された識別情報を有する上記移動体通信端末を収容しているアクセスポイント装置の識別情報又は位置情報を取り出す位置検索手段と
を有することを特徴とする請求項４に記載の被介護者救援システム。
【発明の詳細な説明】
【技術分野】
【０００１】
本発明は被介護者使用物品及び被介護者救援システムに関し、例えば、病院や老人ホームなどの介護施設にいる患者や老人などの介護を受ける被介護者が使用する車いす、まつば杖、名札、点滴用キャリア等を通信端末として使用可能にしたものである。
【背景技術】
【０００２】
徘徊老人などの被介護者の位置管理などにＰＨＳ端末等の携帯端末装置が適用されている。特許文献１では、被介護者にＰＨＳ端末を携帯させるシステムを記載しており、特許文献２では、被介護者の腰のベルトに装着できるようにした携帯電話端末を利用するシステムが記載されている。
【特許文献１】特開２００１−１−９９７７号公報
【特許文献２】特開２０００−３３２９１５号公報
【発明の開示】
【発明が解決しようとする課題】
【０００３】
しかしながら、徘徊老人などの被介護者を管理する、従来の管理システムでは、介護には直接関係しないＰＨＳ端末や携帯電話端末を被介護者に携帯又は装着させるものであり、そのため、被介護者が移動に際して、ＰＨＳ端末や携帯電話端末を携帯又は装着しないことも生じやすい。
【０００４】
そのため、管理される被介護者の移動時に、被介護者と共に移動する可能性が高い通信端末が求められている。
【課題を解決するための手段】
【０００５】
かかる課題を解決するため、第１の本発明の被介護者使用物品は、介護施設で被介護者が移動時に使用する、通信機能以外の主たる機能が定まっているものであって、移動体通信網の端末機能を担う通信装置部を有することを特徴とする。
【０００６】
第２の本発明の被介護者救援システムは、第１の本発明の被介護者使用物品を、移動体通信端末として含むことを特徴とする。
【発明の効果】
【０００７】
本発明によれば、介護施設で被介護者が移動時に使用する被介護者使用物品に、移動体通信網の端末機能を持たせたので、被介護者の移動時に、通信端末も移動することの可能性を従来より高くできる。
【発明を実施するための最良の形態】
【０００８】
（Ａ）実施形態
以下、本発明による被介護者使用物品及び被介護者救援システムの一実施形態を、図面を参照しながら詳述する。
【０００９】
図１は、実施形態の被介護者使用物品を含む被介護者救援システムの構成例を示すブロック図である。
【００１０】
図１において、被介護者救援システム１は、ＰＢＸ（構内交換機）２を中心に構成されている。
【００１１】
ＰＢＸ２には、デジタル多機能電話機３、アナログ電話機４、ＦＡＸ５、交換手が操作する中継台６等の内線端末に加え、病院又は老人ホームなどの建物の内外に設けられているアクセスポイント装置（コードレス接続装置）７などが接続されており、ＰＢＸ２は、ＰＨＳ端末などの携帯型内線端末８もアクセスポイント装置７を介して収容するようになされている。また、ＰＢＸ２は公衆網９とも接続されている。アクセスポイント装置７は、複数台が、管轄エリアを隣接させながら、病院又は老人ホームなどの建物の内外の必要な領域を網羅するように設けられている。
【００１２】
この実施形態の場合、ＰＢＸ２には、ナースステーションなどに設置されている、デジタル多機能電話機などでなるナースコール親機１０も内線端末として接続されている（なお、ナースコール親機１０とＰＢＸ２とが外線接続し得るものであっても良い）。ナースコール親機１０は、病室などに設置されているナースコール子機１１と接続されている。上述した携帯型内線端末８は、看護婦などに携帯させた場合には、ナースコールシステムの構成要素となり、このようなナースコールシステムの構成要素の場合、携帯型内線端末８に外線発信機能を持たせないようにし、又は、ＰＢＸ２が外線発信を拒否するようにしても良い。
【００１３】
この実施形態の場合、ＰＨＳ端末などの携帯型内線端末８の他に、アクセスポイント装置７は、実施形態の被介護者使用物品に該当する、ワイヤレス装置付き名札２０、ワイヤレス装置付き車椅子２１及びワイヤレス装置付きまつば杖２２と無線通信し得るものである。
【００１４】
ワイヤレス装置付き名札２０は、通信機能を除外すれば、被介護者の胸などに取り付けられて、名札として機能するものである。ワイヤレス装置付き車椅子２１は、通信機能を除外すれば、被介護者が腰掛けて移動する、車椅子として機能するものである。ワイヤレス装置付きまつば杖２２は、通信機能を除外すれば、被介護者が歩行の補助具として利用する、まつば杖として機能するものである。
【００１５】
これらワイヤレス装置付き名札２０、ワイヤレス装置付き車椅子２１及びワイヤレス装置付きまつば杖２２は、通信機能面からは、後述するように、携帯型内線端末（例えばＰＨＳ端末）８と同様なものであり、自己が位置している場所を管轄エリアとしているいずれかのアクセスポイント装置７に収容されているものである。アクセスポイント装置７を接続しているＰＢＸ２の場合、内部に、アクセスポイント装置７ごとに、どの携帯型内線端末８が管轄エリアに属しているかのアクセスポイント収容情報２Ａを管理している。この実施形態の場合、ワイヤレス装置付き名札２０、ワイヤレス装置付き車椅子２１及びワイヤレス装置付きまつば杖２２についても、携帯型内線端末８と同様に、アクセスポイント収容情報に含まれている。
【００１６】
この実施形態の場合、ＰＢＸ２には、１台又は複数台の位置検索装置２５が接続されている。位置検索装置２５は、例えば、保守コンソール装置、入力・表示機能を有するＰＨＳ端末や多機能電話機が該当するものであり、例えば、ナースステーションなどに設置されている。位置検索装置２５は、検索対象の携帯型内線端末８、ワイヤレス装置付き名札２０、ワイヤレス装置付き車椅子２１又はワイヤレス装置付きまつば杖２２の識別情報（例えば内線番号）をＰＢＸ２に与えて検索を求めることにより（例えば、シグナリング信号を利用する）、ＰＢＸ２から、その識別情報を有する携帯型内線端末８、ワイヤレス装置付き名札２０、ワイヤレス装置付き車椅子２１又はワイヤレス装置付きまつば杖２２を収容しているアクセスポイント装置７の識別情報又は位置情報の返信を受け、それを表示するものである。アクセスポイント装置７の識別情報を位置情報に変換する処理は、ＰＢＸ２側で行っても良く（例えばソフトウェアによる）、位置検索装置２５が行うようにしても良い。
【００１７】
なお、位置検索装置２５は、例えば、カルテＮｏ、部屋名、被介護者氏名、携帯型内線端末８、ワイヤレス装置付き名札２０、ワイヤレス装置付き車椅子２１又はワイヤレス装置付きまつば杖２２の識別情報とを対応付けた対応テーブル２５ａを備え、操作者によるカルテＮｏ、部屋名、被介護者氏名のいずれか１以上の入力操作に応じて、位置検索対象者に係る携帯型内線端末８、ワイヤレス装置付き名札２０、ワイヤレス装置付き車椅子２１又はワイヤレス装置付きまつば杖２２の識別情報を得ることができるようにんされている。
【００１８】
この実施形態においても、位置検索機能については、既存のＰＨＳシステムなどで採用されているものと同様であり、異なる点は、位置検索対象として、ワイヤレス装置付き名札２０、ワイヤレス装置付き車椅子２１及びワイヤレス装置付きまつば杖２２も含まれている点である。
【００１９】
図２は、ワイヤレス装置付き名札２０の概略正面図であり、図３は、その電気的構成（通信装置部）を示すブロック図である。
【００２０】
ワイヤレス装置付き名札２０は、例えば、縦２ｃｍ、横４ｃｍ程度のものであり、図２に示すように、その正面が概ね上下方向に２つの領域に分かれている。下側の領域には、カルテＮｏ、部屋名、被介護者氏名などの書誌的情報が、例えばロイコ染料などによって書換え可能に記載されており、上側の領域には、ナース呼出ボタン３０、スピーカ３１用の発音孔３１ａ、マイクロフォン３２用の捕捉孔３２ａが設けられている。
【００２１】
ワイヤレス装置付き名札２０は、図３に示すように、上述したナース呼出ボタン３０、スピーカ３１及びマイクロフォン３２に加え、制御部３３、音声処理部３４、無線通信部３５、アンテナ３６及び２次電池３７とを有している。
【００２２】
ナース呼出ボタン３０は、押下時に、ナースコール親機１０への発呼を起動するものである。この実施形態の場合、ナース呼出ボタン３０以外の操作ボタンやキーは設けられておらず、発呼先を任意に選定することはできなくなっている。
【００２３】
スピーカ３１は、音声処理部３４から与えられた音声信号を発音出力するものである。スピーカ３１用の発音孔３１ａは、発音音声を外部に通すものである。
【００２４】
マイクロフォン３２は、当該ワイヤレス装置付き名札２０を付けている被介護者や、その周囲にいる者の音声を捕捉して音声信号を音声処理部３４に与えるものである。マイクロフォン３２用の捕捉孔３２ａは、マイクロフォン３２への音声を通過させるものである。
【００２５】
制御部３３は、当該ワイヤレス装置付き名札２０における通信機能の全体の制御（主に呼制御）を司るものである。例えば、制御部３３は、電話通話の待機時には、無線通信部３５を制御して、アクセスポイント装置７に収容させるための通信を周期的に繰り返すものである。また、制御部３３は、相手端末との通話路を確立する際には、無線通信部３５を制御して、所定の呼シーケンスを実行させるものである。さらに、制御部３３は、相手端末との通話路が確立された後は、音声処理部３４や無線通信部３５を制御して、相手端末との音声通信（電話通信）を実行させるものである。
【００２６】
この実施形態の場合、制御部３３は、ナースコール親機１０に割り当てられている内線番号３３ａを記憶しているものであり、制御部３３は、ナース呼出ボタン３０の押下時には、ナースコール親機１０に対する発信処理を実行するものである。
【００２７】
ここで、ナースコール親機１０の内線番号３３ａとして、複数台のナースコール親機１０の番号を記憶しておき、話中の場合や、呼び出しに対して所定時間（例えば２０秒）内に応答がない場合には、別のナースコール親機１０に対する発信処理に切り替えるようにしても良い。また、ナースコール親機１０の内線番号３３ａとして、１台のナースコール親機１０の番号を記憶しておき、別のナースコール親機１０への発信先の切替は、ＰＢＸ２の転送機能などに委ねるようにしても良い。
【００２８】
また、制御部３３は、着信については、所定の発信先からの着信のみ応じるようなものであっても良い。例えば、応答可能な発信先情報として、ナースコール親機１０の内線番号又は電話番号を登録しておき、ナースコール親機１０からの着信には応じるが、他の相手端末からの発信には着信拒否するものであっても良い。このような着信拒否機能を、ＰＢＸ２が担うようにしても良い。
【００２９】
制御部３３は、所定の相手端末（例えば、ナースコール親機１０）からの着信に対しては、リンガ（リンガは設けられていない）を鳴動させることなく、また、なんらの操作を待つことなく、自動的に着信処理（オフフックがあったときと同じ処理）を行い、直ちに相手端末との通話路を確立させる。
【００３０】
音声処理部３４は、無線通信部３５から与えられた符号化音声信号を復号し、さらにデジタル／アナログ変換してスピーカ３１に与えるものである。また、音声処理部３４は、マイクロフォン３２からの音声信号をアナログ／デジタル変換した後、符号化し、符号化音声信号を無線通信部３５に与えるものである。音声処理部３４には、増幅器やフィルタなどが含まれている。
【００３１】
無線通信部３５は、例えば、通話チャネル及び制御チャネルの無線通信に機能するものである（なお、通話チャネルと制御チャネルとの区別がないものであっても良く、制御チャネルが呼制御用のものと止まり木用のものとに分かれているものであっても良い）。無線通信部３５は、通話チャネルについては、収容されているアクセスポイント装置７からの無線信号を受信処理して音声処理部３４に与えたり、音声処理部３４からの信号を無線信号に変換して収容されているアクセスポイント装置７に送信したりする。また、無線通信部３５は、制御チャネルについては、当該ワイヤレス装置付き名札２０の位置が管轄エリアになっているアクセスポイント装置７からの無線信号（無線シグナリング信号）を受信処理して制御部３３に与えたり、制御部３３からのシグナリング信号を無線信号に変換してアクセスポイント装置７に送信したりする。無線通信部３５には、増幅器やフィルタやデュプレックス回路（送受切り分け回路）などが含まれている。
【００３２】
アンテナ３６は、例えば、当該ワイヤレス装置付き名札２０に内蔵されているものであり、送受共用で、しかも、通話チャネルと制御チャネルとでも共用のものである。
【００３３】
２次電池３７は、当該ワイヤレス装置付き名札２０の各部への電源を供給する充電可能なものである。当該ワイヤレス装置付き名札２０は、その裏面や側面などに、図示しない充電器と電気的に接続するための端子、又は、充電器から延長されているケーブル先端のコネクタと係合するコネクタが設けられている。
【００３４】
以上のように、ワイヤレス装置付き名札２０は、発信先などの制限を除けば、携帯型内線端末８が有する通信機能構成と同様なものである。
【００３５】
図４は、ワイヤレス装置付き車椅子２１の外観イメージを示す斜視図であり、図５は、その電気的構成（通信装置部２１Ｂの構成）を示すブロック図である。
【００３６】
ワイヤレス装置付き車椅子２１は、その外観は、図４に示すように、従来の車椅子とほぼ同様であり、異なる点は、一方の肘掛け部２１Ａに、通信装置部２１Ｂが外付けされ又は埋め込まれている（但し、ボタンなどは外部に露出）点である。
【００３７】
通信装置部２１Ｂは、図５に示すように、ワイヤレス装置付き名札２０と同様なナース呼出ボタン４０、スピーカ４１、マイクロフォン４２、制御部４３、音声処理部４４、無線通信部４５、アンテナ４６及び２次電池４７に加え、エレベータ呼出ボタン４８Ｕ、４８Ｄと、自動ドア開放ボタン４９とを有している。
【００３８】
エレベータ呼出ボタン４８Ｕ、４８Ｄはそれぞれ、エレベータで上昇移動又は下降移動するためにエレベータを呼び出すことを指示するボタンである。自動ドア開放ボタン４９は、自動ドアの開放を指示するボタンである。エレベータ呼出ボタン４８Ｕ、４８Ｄ、自動ドア開放ボタン４９はそれぞれ、制御部４３に接続されており、制御部４３は、その押下を検知したときに、無線通信部４５によって、エレベータの呼出を指示する無線信号や自動ドアの開放を指示する無線信号を送信させるものである。このような無線信号は、その周波数などの物理量が指示を表すものとなっていても良く、指示内容を表すデータが盛り込まれたものであっても良い。
【００３９】
例えば、エレベータホールの天井、壁面などには、エレベータの呼出を指示する無線信号を受信する受信ボックス（図示せず）が設けられている。受信ボックスは、エレベータの呼出を指示する無線信号を受信したときに、そのことをＬＥＤなどによって通知すると共に、受信した旨を、エレベータホールの壁面に設けられている上昇指示ボタンや下降指示ボタンからの信号を受けるエレベータ制御部に通知するようになされている。エレベータ制御部は、受信ボックスからの通知を、壁面の上昇指示ボタンや下降指示ボタンからの信号と同様に扱って処理を行う。
【００４０】
また例えば、自動ドア近傍の天井、壁面などには、自動ドアの開放を指示する無線信号を受信する受信ボックス（図示せず）が設けられている。受信ボックスは、自動ドアの開放を指示する無線信号を受信したときに、そのことをＬＥＤなどによって通知すると共に、受信した旨を、自動ドア近傍の天井、壁面などに設けられている通行者検知センサからの信号を受ける自動ドア制御部に通知するようになされている。自動ドア制御部は、受信ボックスからの通知を、通行者検知センサからの信号と同様に扱って処理を行う。
【００４１】
なお、エレベータ制御部や自動ドア制御部を、ＰＢＸ２の内線端末の一種にしておき、エレベータの呼出を指示する信号や、自動ドアの開放を指示する信号を、アクセスポイント装置７やＰＢＸ２経由でエレベータ制御部や自動ドア制御部に与えるようにしても良い。
【００４２】
ワイヤレス装置付き車椅子２１のエレベータ呼出機能や自動ドア開放機能を除いた通信機能は、上述したワイヤレス装置付き名札２０と同様であり、その詳細説明は省略する。
【００４３】
図６は、ワイヤレス装置付きまつば杖２２における通信装置部２２Ｂの取り付け位置の説明図である。ワイヤレス装置付きまつば杖２２においては、被介護者の腋が当たる横木２２Ａの先端側に通信装置部２２Ｂが外付けされ又は埋め込まれている（但し、ボタンなどは外部に露出）。
【００４４】
ワイヤレス装置付きまつば杖２２における通信装置部２２Ｂは、上述したワイヤレス装置付き車椅子２１の通信装置部２１Ｂと同様な構成であるので、その詳細説明は省略する。
【００４５】
上述したように、ＰＢＸ２は、アクセスポイント装置７からの情報に基づいて、各携帯型内線端末８、各ワイヤレス装置付き名札２０、各ワイヤレス装置付き車椅子２１、各ワイヤレス装置付きまつば杖２２が、どのアクセスポイント装置７の管轄エリアに位置しているかを表すアクセスポイント収容情報２Ａを管理している。
【００４６】
介護者が、被介護者の位置を検索する際には、介護者は、位置検索装置２５に対して、検索対象の被介護者に係るワイヤレス装置付き名札２０、ワイヤレス装置付き車椅子２１、ワイヤレス装置付きまつば杖２２又は携帯型内線端末８の識別情報（例えば内線番号）を入力して位置検索を指示する。このとき、位置検索装置２５は、入力された識別情報をＰＢＸ２に与えて検索を求め、ＰＢＸ２から、アクセスポイント装置７の識別情報又は位置情報の返信を受け、それを表示する。介護者は、その表示を見つつ、被介護者の位置を確認することができる。
【００４７】
以上のように、移動時において被介護者の使用頻度が高い、ワイヤレス装置付き名札２０、ワイヤレス装置付き車椅子２１、ワイヤレス装置付きまつば杖２２なども、検索対象の装置とするようにしたので、位置が検索できる可能性が従来より高くなっている。
【００４８】
ワイヤレス装置付き名札２０、ワイヤレス装置付き車椅子２１又はワイヤレス装置付きまつば杖２２を使用している被介護者又はその周囲にいる者は、病気の急変により、介護者（例えばナース）との連絡が必要になったときには、ワイヤレス装置付き名札２０、ワイヤレス装置付き車椅子２１又はワイヤレス装置付きまつば杖２２に設けられているナース呼出ボタン（３０、４０）を押下する。このとき、ワイヤレス装置付き名札２０、ワイヤレス装置付き車椅子２１又はワイヤレス装置付きまつば杖２２の制御部（３３、４３）は、内部記憶しているナースコール親機１０の内線番号を取り出し、発呼処理を行う。介護者が、ナースコール親機１０の受話器をオフフックすることにより、ワイヤレス装置付き名札２０、ワイヤレス装置付き車椅子２１又はワイヤレス装置付きまつば杖２２と、ナースコール親機１０との通話路が確立され、被介護者又はその周囲にいる者と、介護者との通話が可能となる。
【００４９】
以上のように、移動時において被介護者の使用頻度が高い、ワイヤレス装置付き名札２０、ワイヤレス装置付き車椅子２１、ワイヤレス装置付きまつば杖２２を用いて、被介護者（又はその周囲にいる者）は介護者を呼び出して通話を行うことができる。
【００５０】
介護者が、ワイヤレス装置付き名札２０、ワイヤレス装置付き車椅子２１又はワイヤレス装置付きまつば杖２２を使用している被介護者との通話を望む場合には、例えば、ナースコール親機１０から、その被介護者の使用装置（２０〜２２）に割り当てられている内線番号をダイヤルする。このとき、ＰＢＸ２は、被介護者の使用装置（２０〜２２）が収容されているアクセスポイント装置７を検索し、検索されたアクセスポイント装置７を介して被介護者の使用装置（２０〜２２）を発呼する。このとき、被介護者の使用装置（２０〜２２）の制御部（３３、４３）は自動着信処理を行い、これにより、通話路が確立され、介護者と被介護者との通話が可能となる。
【００５１】
以上のように、移動時において被介護者の使用頻度が高い、ワイヤレス装置付き名札２０、ワイヤレス装置付き車椅子２１、ワイヤレス装置付きまつば杖２２を用いて、介護者は被介護者を呼び出して通話を行うことができる。
【００５２】
ワイヤレス装置付き車椅子２１又はワイヤレス装置付きまつば杖２２を使用している被介護者は、エレベータを呼び出す際には、エレベータ呼出ボタン（４８Ｕ、４８Ｄ）を押下する。このとき、制御部（４３）は、無線通信部（４５）によって、エレベータの呼出を指示する無線信号を送信させる。エレベータ用の受信ボックスは、その無線信号を受信すると、ＬＥＤなどによって受信を通知すると共に、受信した旨を、エレベータ制御部に通知し、エレベータ制御部は、受信ボックスからの通知に応じ、その通知を、壁面の上昇指示ボタンや下降指示ボタンからの信号と同様に扱って、エレベータをその階に呼び出す。
【００５３】
また、ワイヤレス装置付き車椅子２１又はワイヤレス装置付きまつば杖２２を使用している被介護者は、自動ドアを開放させる際には、自動ドア開放ボタン（４９）を押下する。このとき、制御部（４３）は、無線通信部（４５）によって、自動ドアの開放を指示する無線信号を送信させる。自動ドア用の受信ボックスは、その無線信号を受信すると、ＬＥＤなどによって受信を通知すると共に、受信した旨を、自動ドア制御部に通知し、自動ドア制御部は、受信ボックスからの通知に応じ、その通知を、通行者検知センサからの信号と同様に扱って、自動ドアを開放させる。
【００５４】
以上のように、移動時において被介護者の使用頻度が高い、ワイヤレス装置付き名札２０、ワイヤレス装置付き車椅子２１、ワイヤレス装置付きまつば杖２２を用いて、被介護者は、エレベータを呼び出したり、自動ドアを開放させたりできる。
【００５５】
（Ｂ）他の実施形態
上記実施形態では、ナースコールシステムと協働するものを示したが、ナースコールシステムから独立したシステムとして、本発明の被介護者救援システムを構築するようにしても良い。
【００５６】
また、上記実施形態においては、通信端末機能付き被介護者使用物品として、ワイヤレス装置付き名札２０、ワイヤレス装置付き車椅子２１、ワイヤレス装置付きまつば杖２２を示したが、その他の被介護者が使用する物品に、上記実施形態のような通信機能を有する通信装置部を設けるようにしても良い。例えば、点滴キャリアを挙げることができる。
【００５７】
さらに、上記実施形態においては、移動体通信網がＰＨＳ電話網であるものを示したが、携帯電話網などの他の移動体通信網であっても良い。
【００５８】
さらにまた、上記実施形態においては、構内通信システムを利用した被介護者救援システムを示したが、移動体通信網は公衆網であっても良い。
【図面の簡単な説明】
【００５９】
【図１】実施形態の被介護者救援システムの全体構成を示すブロック図である。
【図２】実施形態のワイヤレス装置付き名札の概略正面図である。
【図３】実施形態のワイヤレス装置付き名札の電気的構成（通信装置部）を示すブロック図である。
【図４】実施形態のワイヤレス装置付き車椅子の外観イメージを示す斜視図である。
【図５】実施形態のワイヤレス装置付き車椅子の電気的構成（通信装置部）を示すブロック図である。
【図６】実施形態のワイヤレス装置付きまつば杖における通信装置部の取り付け位置の説明図である。
【符号の説明】
【００６０】
１…被介護者救援システム、２…ＰＢＸ（構内交換機）、７…アクセスポイント装置（コードレス接続装置）、１０…ナースコール親機、２０…ワイヤレス装置付き名札、２１…ワイヤレス装置付き車椅子、２１Ｂ…通信装置部、２２…ワイヤレス装置付きまつば杖、２２Ｂ…通信装置部、２５…位置検索装置、３０、４０…ナース呼出ボタン、３１、４１…スピーカ、３２、４２…マイクロフォン、３３、４３…制御部、３４、４４…音声処理部、３５、４５…無線通信部、３６、４６…アンテナ、３７、４７…２次電池、４８Ｕ、４８Ｄ…エレベータ呼出ボタン、４９…自動ドア開放ボタン。
【図１】
2007048075.tif 000003
【図２】
2007048075.tif 000004
【図３】
2007048075.tif 000005
【図４】
2007048075.tif 000006
【図５】
2007048075.tif 000007
【図６】
2007048075.tif 000008